(57)【特許請求の範囲】
【請求項１】
離間対向した一対の側板が上縁間及び下縁間をそれぞれ横架する結合アームにより結合されてなるリンク体が、長手方向に複数連結されて形成されたケーブル類保護案内ガイドにおいて、
前記側板は、その一方側縁の外側に突出して一体に形成された可撓性部を有する連結杆を備えると共に、その反対側の他方側縁の内側に連結杆が嵌合される連結用溝を備え、
前記リンク体の側板の連結杆が隣接するリンク体の側板の連結用溝に嵌合係止されることにより、隣接するリンク体どうしが屈曲自在に連結されていることを特徴とするケーブル類保護案内ガイド。
【請求項２】
前記連結杆の先端部には膨出した係止部が形成され、前記連結用溝の後端部には該係止部が嵌合固定される係止孔が形成されていることを特徴とする請求項１に記載のケーブル類保護案内ガイド。
【請求項３】
前記側板の他方側縁は、隣接するリンク体どうしが所定角度屈曲可能となるように、前記連結用溝より下方の部分が傾斜面で形成されると共に、連結用溝の先端側が末広がりに形成されていることを特徴とする請求項１または請求項２に記載のケーブル類保護案内ガイド。
【請求項４】
前記側板は、その外側面に側壁カバーを備えていることを特徴とする請求項１乃至請求項３のいずれかに記載のケーブル類保護案内ガイド。
【請求項５】
前記結合アームは、隣接するリンク体の結合アームどうしが相互に重なり合う重なり部分を有することを特徴とする請求項４に記載のケーブル類保護案内ガイド。
【発明の詳細な説明】
【０００１】
【発明の属する技術分野】
本発明は、内部に電線ケ−ブル、油圧ホース、空気ホース等のケーブル類を収納し、装置、床等の固定部位側に設置された固定端と、装置等の可動側である移動部位に取り付けられた移動端との間でケーブル、ホース等を支持しつつ、移動端を往復移動させる場合に使用されるケーブル類保護案内ガイドに関する。
【０００２】
【従来の技術】
従来、ケーブル類保護案内ガイドは、金属製のもの、プラスチック製のものなど種々知られているが、各構成部材が合成樹脂で成型されたプラスチック製の保護案内ガイドとしては、例えば、特公平２−４０１３５号公報（前者）、特開平１０−２８３１０号公報（後者）などに開示されたもの等が知られている。
【０００３】
前記公報に開示されているケーブル類保護案内ガイド（前者）は、一対のプラスチック製の側板がアームで一体に結合されることによりリンク体が形成され、一方のリンク体の側板に形成された係止突起を隣接する他方のリンク体の側板に形成された嵌合孔に嵌入させることにより、側板どうしが枢着されて形成されている。
【０００４】
また、前記公報に開示されているケーブル類保護案内ガイド（後者）は、プラスチック製の底壁と、この底壁に立設された分割溝を有する側壁とで形成されたベルト式のものである。
【０００５】
【発明が解決しようとする課題】
前記従来のケーブル類保護案内ガイド（前者）は、リンク体が係止突起と嵌合孔との枢着により連結されているため、その屈曲移動時に枢着部での摩耗により粉塵が発生すると共に、擦れによる摩擦音が発生するという問題点がある。
また、リンク体が係止突起と嵌合孔との枢着により、自由に回転するため、屈曲時の多角形運動時に、リンク体が途中の不安定な位置から床面の安定な位置まで急激に回動する。そのため、リンク体の側板上縁部が床面をたたき、大きな騒音が発生する、という問題点がある。
【０００６】
また、前記従来のケーブル類保護案内ガイド（後者）は、ベルト式であるため、切り継ぎができないという問題点がある。
【０００７】
そこで、本発明は、前述したような従来技術の問題点を解消するものであって、屈曲するときの摩擦部位をなくして粉塵の発生を防止することができ、高速移動時にも騒音が発生しないようにすることができ、切り継ぎを容易に行うことができるケーブル類保護案内ガイドを提供することを目的とする。
【０００８】
【課題を解決するための手段】
前記目的を達成するために、請求項１に係る本発明は、離間対向した一対の側板が上縁間及び下縁間をそれぞれ横架する結合アームにより結合されてなるリンク体が、長手方向に複数連結されて形成されたケーブル類保護案内ガイドにおいて、前記側板は、その一方側縁の外側に突出して一体に形成された可撓性部を有する連結杆を備えると共に、その反対側の他方側縁の内側に連結杆が嵌合される連結用溝を備え、前記リンク体の側板の連結杆が隣接するリンク体の側板の連結用溝に嵌合係止されることにより、隣接するリンク体どうしが屈曲自在に連結されているケーブル類保護案内ガイド、という構成としたものである。
請求項２に係る本発明は、上記請求項１のケーブル類保護案内ガイドにおいて、前記連結杆の先端部には膨出した係止部が形成され、前記連結用溝の後端部には該係止部が嵌合固定される係止孔が形成されている、という構成としたものである。
請求項３に係る本発明は、上記請求項１または請求項２のケーブル類保護案内ガイドにおいて、前記側板の他方側縁は、隣接するリンク体どうしが所定角度屈曲可能となるように、前記連結用溝より下方の部分が傾斜面で形成されると共に、連結用溝の先端側が末広がりに形成されている、という構成としたものである。
請求項４に係る本発明は、上記請求項１乃至請求項３のいずれかのケーブル類保護案内ガイドにおいて、前記側板は、その外側面に側壁カバーを備えている、という構成としたものである。
請求項５に係る本発明は、上記請求項４のケーブル類保護案内ガイドにおいて、前記結合アームは、隣接するリンク体の結合アームどうしが相互に重なり合う重なり部分を有する、という構成としたものである。
【０００９】
【作用】
本発明のケーブル類保護案内ガイドは、内部にケーブル類を収納して移動端が往復移動するとき、屈曲部位において、連結杆の可撓性部が屈曲することにより、側板の傾斜面に隣接するリンク体の側板の一方側縁の下方部分が当接するまで所定角度屈曲する。この屈曲時に、リンク体の側板と連結杆とは摩擦する箇所がないので、粉塵が発生することがない。
リンク体どうしが側板に一体に形成された可撓性部を有する連結杆により連結されているので、可撓性部のばね特性により、屈曲時に側板の上縁部が床面にスムーズに当たり、大きな騒音を発生することがない。
また、隣接するリンク体の側板どうしを外すことにより、リンク体を取り外したり、継ぎ足したりすることが可能となる。
【００１０】
【発明の実施の形態】
本発明の実施例１を図１〜図５を参照して説明する。
図１には、ケーブル類保護案内ガイドが屈曲した状態を示す概略斜視図が示されている。ケーブル類保護案内ガイド（以下、ケーブル類保護案内ガイドを、適宜「保護案内ガイド」という。）１は、リンク体２が長手方向に複数連結されて形成され、その内部にケーブル類が長手方向に沿って収納される。
【００１１】
リンク体２は、離間対向した一対の合成樹脂製の側板３が上縁間及び下縁間をそれぞれ横架する合成樹脂製の結合アーム６により結合されることにより形成される。
図２に示すように、側板３の上縁、下縁には、凹陥部３ａ内に突起３ｂが形成され、結合アーム６には、孔６ａが形成されている。側板３と結合アーム６との結合は突起３ｂと孔６ａとの圧入嵌合により行われる。
【００１２】
図２（Ａ）、（Ｂ）、（Ｃ）にリンク体２の組立て状態が示され、（Ａ）には、側板３の上下方向から結合プレート６を取り付ける組立て状態（４点組立）、（Ｂ）には、側板３の下縁に結合プレート６が取り付けられたものに、上方から結合アーム６取り付ける組立て状態（２点組立）、（Ｃ）には、一方の側板３に上下の結合アーム６を取り付けたものに、他方の側板３を取り付ける組立て状態（２点組立）を示す。（Ａ）の組立ては、側板３、結合アーム６の変形をさせずに組み付けが可能であり、（Ｂ）の組立ては、結合アームが撓むことにより，切り継ぎに適し、（Ｃ）の組立ては、切り継ぎ、ケーブル類の交換などに適している。
【００１３】
図３に示すように、側板３は、その一方側縁３ｃから外方に突出して一体に形成された連結杆４を備え、その反対側の他方側縁３ｄの内側に連結杆４が嵌合される連結用溝５を備えたもので、合成樹脂で一体成形されている。この連結杆４は、一方側縁３ｃに略々垂直に立設されたもので、可撓性部４ａと、その先端に膨出した略々直方体の係止部４ｂとで形成されている。
【００１４】
連結用溝５は、その先端部に連結杆４の可撓性部４ａが入る溝部５ａと、後端部に連結杆４の係止部４ｂが嵌合される係止孔５ｂとからなり、連結用溝５の溝部５ａの下面は下方に傾斜する湾曲面で形成され、連結用溝５の先端側は末広がりとなっている。連結用溝５の先端側が末広がりになっていることにより、連結杆４は可撓性部４ａで容易に屈曲する。
【００１５】
また、側板３の他方側縁３ｄは、連結用溝５より上方部分が略々垂直な展開規制面３ｅで形成され、連結用溝５より下方部分が所定角度で傾斜する傾斜面３ｆで形成される。
【００１６】
保護案内ガイド１は、リンク体２の側板３の連結杆４が隣接するリンク体２の側板３の連結用溝５に嵌合係止され、係止部４ｂが係止孔５ｂに圧入嵌合されることにより、隣接するリンク体２どうしが連結されると共に、連結杆４が可撓性部４ａを有することにより屈曲自在のものとして形成される。
【００１７】
この保護案内ガイド１は、内部にケーブル類を収納して移動端が往復移動するが、その屈曲時、保護案内ガイド１は、側板３の傾斜面３ｆに隣接するリンク体２の側板３の一方側縁３ｃの下方部分が当接するまで所定角度屈曲する。この場合、連結杆４の可撓性部４ａが屈曲することになるが、例えば、図３に示すように側板の傾斜面３ｆが略々１８°で傾斜しているときは、図４に示すように、連結杆４の可撓性部４ａが最大で略々１８°の変形角度で屈曲する。
【００１８】
上記のように構成された保護案内ガイド１は、リンク体の側板の連結杆が隣接するリンク体の側板の連結用溝に嵌合固定されることにより、隣接するリンク体どうしが屈曲自在に連結されているので、屈曲するときの摩擦部位がなくなり、摩擦による粉塵の発生を防止することができる。
また、リンク体どうしが側板に一体に形成された可撓性部を有する連結杆により連結されているので、連結杆が初期に設計された固有の角度を保とうとしているため、保護案内ガイド１の移動端が高速移動しても、可撓性部のばね特性により、屈曲時に側板の上縁部が床面にスムーズに当たり、大きな騒音が発生するのを防止することができる。
さらに、リンク体の側板の連結杆と連結用溝とにより、リンク体２の着脱が容易になり、保護案内ガイド１の切り継ぎ、リンク体の継ぎ足しを容易に行うことができる。
【００１９】
以上、隣接するリンク体２の側板３どうしの連結手段として、連結杆４の係止部４ｂを連結用溝５の係止孔５ｂに圧入嵌合するものについて説明したが、図５に変形例として示すように、側板３を構成する連結杆４の係止部４ｂの上下面に係合突起４ｃを形成すると共に、連結用溝５に係止溝５ｃを形成し、一方の側板３に、隣接する他の側板を側方から組み付けて、係止部４ｂを係止孔５ｂに嵌合するとき、係合突起４ｃを係止溝５ｃに圧入固定して連結するようにしてもよい。
【００２０】
実施例２を図６に基づいて説明する。まず、保護案内ガイド１１のリンク体１２は、実施例１と同じように、離間対向した一対の合成樹脂製の側板が上縁間及び下縁間をそれぞれ横架する結合アームにより結合されることにより形成されている。
【００２１】
図６に詳しく図示されていないが、リンク体１２を構成する側板には、その一方側縁から外方に突出して連結杆が一体に形成され、その反対側の他方側縁の内側に連結杆が嵌合される連結用溝が形成されている。この連結杆は、一方側縁に略々垂直に立設されたもので、可撓性部と、その先端に膨出した略々直方体の係止部とで形成されている。
【００２２】
連結用溝は、その先端部に連結杆の可撓性部が入る溝部と、後端部に連結杆の係止部が嵌合される係止孔とからなり、図３に示す実施例１と同様に、連結用溝の溝部の下面は下方に傾斜する湾曲面で形成され、連結用溝の先端側は、リンク体が屈曲できるように末広がりに形成されている。
すなわち、連結用溝の溝部の下面は、直線ではなく、連結杆の曲げ応力が一定になるような湾曲線、通常は一定の曲率半径の湾曲面とする。この場合、連結用溝が直線であると、連結杆の端部のみの屈曲になるため、曲げ応力が高くなり、寿命が短くなるので、これを避けるために上記のような曲面とする。
また、係止孔は、溝部の垂線に対して後記する傾斜面の傾斜角度（例えば、略々１８°）の１／２の角度（略々９°）傾斜した矩形状の孔で形成されている。
【００２３】
また、側板の他方側縁は、連結用溝より上方部分が略々垂直な展開規制面で形成され、連結用溝より下方部分が所定角度（例えば、１８°）で傾斜する傾斜面で形成される。
【００２４】
保護案内ガイド１１は、リンク体１２の側板の連結杆が隣接するリンク体１２の側板の連結用溝に嵌合固定されることにより、隣接するリンク体１２どうしが連結されて形成されている。
【００２５】
この場合、リンク体１２の連結杆の係止部は、傾斜している係止孔に嵌合されるが、連結杆の可撓性部のばね特性により、図６に示すように、保護案内ガイド１１が水平に展開された状態（同図で上側に示されている部分）では、可撓性部が溝部の上面に当接して水平規制されているが、最大に屈曲した状態（同図で左方部分）では、可撓性部が下方に屈曲（例えば、変形角度略々９°）する。
【００２６】
上記のように構成された保護案内ガイド１１は、屈曲した状態において、連結用溝の溝部の垂線に対して係止孔が傾斜していることにより、前記実施例１の最大屈曲時における連結杆の可撓性部の変形角度が前記実施例１のものの略々半分（略々９°）になり、側板を高剛性の合成樹脂製のものとすることができ、その結果、保護案内ガイド１１の寿命を長くすることができる。
【００２７】
実施例３を図７、図８に基づいて説明する。この実施例３の保護案内ガイド２１は、前記実施例１における保護案内ガイドの側板３に側壁カバーが設けられたものに相当するものであり、以下、前記実施例１と同一態様部材には同じ符号を付して説明する。
【００２８】
リンク体２２は、離間対向した一対の合成樹脂製の側板３が上縁間及び下縁間をそれぞれ横架する結合アーム６により結合されることにより形成される。
【００２９】
側板３は、側壁カバー２７を備え、側板３と側壁カバー２７とは一体成形されたプラスチック製品である。前記実施例１と同様に、側板３には、その一方側縁３ｃから外方に突出する連結杆４が一体に形成され、その反対側の他方側縁３ｄの内側に連結杆４が嵌合される連結用溝５が形成されていると共に、展開規制面３ｅと傾斜面３ｆとが形成される。
この場合、側板３と側壁カバー２７とは一体成形されて入ることが好ましいが、接着、ビス止めなどにより一体に形成されていてもよい。
【００３０】
この連結杆４は、一方側縁３ｃに略々垂直に立設されたもので、可撓性部４ａと、その先端に膨出した略々直方体の係止部４ｂとで形成され、また、連結用溝５は、その先端部に連結杆４の可撓性部４ａが入る溝部と、後端部に連結杆４の係止部が嵌合係止される係止孔とからなり、連結用溝５の先端側は末広がりに形成されている。
【００３１】
保護案内ガイド２１は、リンク体２２の側板３の連結杆４が隣接するリンク体２２の側板３の連結用溝５に嵌合固定されることにより、隣接するリンク体２どうしが連結される。保護案内ガイド２１は、連結杆４が可撓性部４ａを有することにより屈曲自在である。
【００３２】
上記のように構成された保護案内ガイド２１は、リンク体２２を構成する側板３が外側に側壁カバー２７を備えていることにより、連結杆４により連結されたリンク体２２どうしが位置規制され、横ずれを防止することができ、その結果、保護案内ガイド２１の側板３どうしの抜け外れによる切断を防止することができる。
また、側壁カバー２７によりリンク体２２が位置規制されるので、連結杆の係止部を連結用溝の係止孔に圧入嵌合する必要はなく、その組立てが容易になり、側壁カバー２７により側板間での挟み込みを防止することができる。
【００３３】
実施例４を図９（Ａ）、（Ｂ）、（Ｃ）に基づいて説明する。実施例４の保護案内ガイド３１は、前記実施例１の側板３と略々同じ側板３３に、側壁カバー３７を付加すると共に、隣接するリンク体の結合アームどうしが一部重なるようにしたものに相当する。
【００３４】
リンク体３２は、離間対向した一対の合成樹脂製の側板３３が上縁間及び下縁間をそれぞれ横架する板状の結合アーム３６により結合されることにより側板３３形成される。この結合アーム３６は、段差部３６ａを有する板体部３６ｂ、３６ｃで形成され、一方の板体部３６ｂと他方の板体部３６ｃとはリンク体３２が連結杆３４により連結されたとき、相互に重なるようになっている。
この場合、側板３３には、切欠部３３ａが形成され、この切欠部３３ａに結合アーム３６の段差部３６ａが入り込むようになっており、結合アーム３６は側板３３にビス止めなどにより着脱自在に固定される。
【００３５】
側板３３は、その外側に一体に成形された側壁カバー３７を有し、一方側縁から外方に突出する連結杆３４、その反対側の他方側縁の内側に連結杆３４が嵌合される連結用溝３５を有する。この連結用溝３５は、その先端部に連結杆３４の可撓性部３４ａが入る溝部３５ａと、後端部に連結杆３４の係止部３４ｂが嵌合される係止孔３５ｂとからなる。
【００３６】
保護案内ガイド３１は、隣接するリンク体３２どうしが側壁カバー３７を有する側板３３の連結杆３４と連結用溝３５とにより連結されると共に、側板３３、３３が結合アーム３６により結合されて形成される。
【００３７】
上記構成からなる保護案内ガイド３１は、図９（Ｃ）に示すように、展開した状態及び屈曲した状態において、隣接するリンク体３２の結合アーム３６が段差部３６ａを境にして板体部３６ｂ、３６ｃが重なり合い、それと共に、側壁カバー３７により側方が塞がれるので、保護案内ガイド３１内部を全閉型にすることができる。
そのため、側板間での挟み込みを防止することができ、外側からの切り屑の進入（工作機械に使用時）を防止することができ、それと共に、ケーブル類の摩耗粉を外部に出さないようにすることができ、クリーン度を向上させることができる。
【００３８】
以上、実施例１〜４について説明したが、他の態様としての変形例を以下に示す。図１０（Ａ）、（Ｂ）に示すように、側板４３の連結杆４４を可撓性部４４ａと係止部４４ｂを有するものとし、この係止部４４ｂを切欠溝４４ｃとフック４４ｄとを有するものとしてもよい。このように係止部４４ｂが形成されていると、長手方向から連結杆４４を連結用溝４５に差し込んで連結することができる。
この場合、側板４３が側壁カバー４７を有するもので形成されていると、側板４３が横ずれしなくなり、また、側壁カバー４７に切欠孔４７ａを形成しておくと、外側から係止部４４ｂを変形させてリンクを取り外すことができる。
【００３９】
各実施例において、連結杆の先端に形成される係止部の形状が方形体状のものとして説明したが、楕円形状、円形状のものでもよい。また、側板の連結杆の可撓性部分にインサート成形で連結杆の長手方向に沿ってワイヤーを埋め込み、強度アップを図るようにしてもよい。
また、連結杆の可撓性部は、側板が合成樹脂で一体成形されることにより形成されるものであるが、保護案内ガイドの剛性を上げるために、側板を高剛性の合成樹脂製とした場合は、連結杆の可撓性部を柔らかい合成樹脂製のものとして側板を一体成形してもよい。
この場合、異質の樹脂を別のゲートから型内に射出して一体成形すると両者が境界面で混じり合い強固に結合する。
さらに、各実施例において、可撓性部を有する連結杆及び連結用溝を備えた側板を合成樹脂で一体成形したものについて説明したが、金属で形成した金属製品としてもよい。
【００４０】
また、図１１に示すように、側板５３の連結杆５４の先端部５４ａに膨出部を形成してないものとしてもよく、この場合は、係合用溝５５の後端部５５ａと連結杆５４の先端部５４ａとを接着剤などで結合することも可能であり、側板どうしの分離はマイナスドライバーなどの差し込みにより行うことも可能である。
【００４１】
【発明の効果】
以上説明したように、本発明は、リンク体を構成する側板が、その一方側縁の外側に突出して一体に形成された可撓性部を有する連結杆を備えると共に、その反対側の他方側縁の内側に連結杆が嵌合される連結用溝を備え、リンク体の側板の連結杆が隣接するリンク体の側板の連結用溝に嵌合係止されることにより、隣接するリンク体どうしが屈曲自在に連結されているので、屈曲するときの摩擦部位がなくなり、摩擦による粉塵の発生を防止することができる。
また、連結杆及び連結用溝を備えた側板が一体に形成されているので、連結杆と側板とを別体に形成し、側板に連結杆が嵌合される２つの連結用溝を形成したものに比較して、部品点数を少なくすることができ、保護案内ガイドの初期組み立て、切り継ぎ、リンク体の継ぎ足しを容易に行うことができる。
【００４２】
ケーブル類保護案内ガイドは、隣接するリンク体どうしの側板が連結杆と連結用溝とで連結されているので、リンク体どうしは、連結杆が設計された固有の角度を保とうとしているため、この保護案内ガイドの屈曲部位の移動時に、リンク体が途中の不安定な位置から、床面の安定な位置まで動くときでも、連結杆の可撓性部でのばね特性により、リンク体が急激に回動せず、側板の上縁部が床面にスムーズに当たるようにすることができ、その結果、大きな騒音の発生を防止することができる。
【００４３】
さらに、ケーブル類保護案内ガイドは、リンク体の側板の連結杆が隣接するリンク体の側板の連結用溝に嵌合係止されることにより、リンク体が連結されているので、リンク体の着脱が容易になり、保護案内ガイドの初期組み立て、切り継ぎ、リンク体の継ぎ足しを容易に行うことができる。
【００４４】
リンク体を構成する側板に連結杆の先端部には膨出した係止部が形成され、前記連結用溝の後端部には該係止部が嵌合係止される係止孔が形成されている場合は、一方のリンク体の側板に形成されている連結杆の係止部を隣接するリンク体の係止孔に嵌合係止することにより、リンク体どうしを強固に屈曲可能に連結できる。
【００４５】
側板の他方側縁が、隣接するリンク体どうしが所定角度屈曲可能となるように、前記連結用溝より下方の部分が傾斜面で形成されることにより、隣接するリンク体どうしを所定角度屈曲させることができると共に、連結用溝の先端側が末広がりに形成されていることにより、屈曲時におけるリンク体どうしの屈曲を容易に行わせることができる。
【００４６】
側板の外側面に側壁カバーが備えられている場合は、側壁カバーにより隣接するリンク体どうしが側方にずれるのを防止することができると共に、異物の挟み込みを防止することができる。
【００４７】
リンク体を構成する側板が外側面に側壁カバーを備えると共に、結合アームが隣接するリンク体の結合アームどうしが相互に重なり合う重なり部分を有する場合は、側板の側壁カバーと、重なり部分を有する結合アームとにより、保護案内ガイドの内部を密閉することができ、その結果、移動端の往復移動中にケーブル類から発生する粉塵などが外部に飛散するのを防止することができると共に、外部から保護案内ガイド内に異物が侵入するのを防ぐことができる。
【図面の簡単な説明】
【図１】本発明の実施例１であるケーブル類保護案内ガイドの屈曲部位を示す斜視図。
【図２】同上、リンク体の分解組立状態を示し、（Ａ）、（Ｂ）、（Ｃ）は、それぞれ異なった分解組立状態の説明図。
【図３】同上、側板の側面図。
【図４】同上、ケーブル類保護案内ガイドの屈曲部位における作動説明図。
【図５】変形例である側板の斜視図。
【図６】本発明の実施例２を示し、ケーブル類保護案内ガイドの屈曲部位を示す斜視図。
【図７】本発明の実施例３を示し、リンク体の斜視図。
【図８】同上、ケーブル類保護案内ガイドの屈曲部位を示す斜視図。
【図９】実施例４を示し、（Ａ）はケーブル類保護案内ガイドの屈曲部位の斜視図、（Ｂ）は側板に結合アームが取り付けられた場合の一部切欠斜視図、（Ｃ）は屈曲部位の状態説明図。
【図１０】側板の他の変形例を示し、（Ａ）は側板の一部切欠斜視図、（Ｂ）は側板どうしの連結状態を示す側面図。
【図１１】側板の他の変形例を示す側面図。
【符号の説明】
１、１１、２１、３１  ・・・ケーブル類保護案内ガイド
２、１２、２２、３２  ・・・リンク体
３、３３  ・・・側板
３ａ  ・・・凹陥部
３ｂ  ・・・突起
３ｃ  ・・・一方側縁
３ｄ、３３ｄ  ・・・他方側縁
３ｅ  ・・・展開規制面
３ｆ  ・・・傾斜面
３ｇ  ・・・突起
４、３４  ・・・連結杆
４ａ  ・・・可撓性部
４ｂ、３４ｂ  ・・・係止部
４ｃ  ・・・係合突起
５、３５  ・・・連結用溝
５ａ、３５ａ  ・・・溝部
５ｂ、３５ｂ  ・・・係止孔
５ｃ  ・・・係止溝
６  ・・・結合アーム
６ａ  ・・・孔
２７、３７  ・・・側壁カバー
３６  ・・・結合アーム
３６ａ  ・・・段差
３６ｂ、３６ｃ  ・・・板体部
４３  ・・・側板
４４  ・・・連結杆
４４ａ  ・・・可撓性部
４４ｂ  ・・・係止部
４４ｃ  ・・・切欠溝
４４ｄ  ・・・フック
４５  ・・・連結用溝
４７  ・・・側壁カバー
４７ａ  ・・・切欠孔
【図１】
0003722477.tif 000002
【図２】
0003722477.tif 000003
【図３】
0003722477.tif 000004
【図４】
0003722477.tif 000005
【図５】
0003722477.tif 000006
【図６】
0003722477.tif 000007
【図７】
0003722477.tif 000008
【図８】
0003722477.tif 000009
【図９】
0003722477.tif 000010
【図１０】
0003722477.tif 000011
【図１１】
0003722477.tif 000012